(57)【要約】【課題】本発明は巻きおしぼり製造装置に関し、連続シートのカールした先端の導入を円滑に行い、ジャミングを確実に防止しうるようにすることを目的とする。【解決手段】シートカッタ１６の入口部に案内部材６８を設け、案内部材６８は押さえ板１５の対抗面との間を狭窄する突起７２を備え、案内部材６８に対向した押さえ板１５の面にも突起７４が設けられ、これらの突起７２，  ７４は互い違いに設けられ、突起７２，  ７４の先端が連続シート１２に両側から接触することにより連続シート１２の先端を保持すると共に、カールを押さえ、連続シート１２をシートカッタ１６へ送る。また、丸め機構１８の入口部には案内部材７６が入口案内ロール３２まで延びるように設けられ、かつ案内部材７６は間隔をおいて連続シートの全幅に設けられ、移動ベルト２６から離間した入口案内ロール３２の側の隙間をブロックし、丸め機構１８への連続シートの円滑な導入を可能とする。【選択図】  図２
2004173781.tif 000002
【特許請求の範囲】
【請求項１】
ロールからの連続シートをシートカッタにより所定長さのシート片にカットし、シート片を丸め機構により巻きおしぼりとする巻きおしぼり製造装置において、シートカッタの入口部若しくは丸め機構の入口部又はその双方にシートの先端のカールにかかわらずシートの先端をシートカッタの入口部若しくは丸め機構の入口部に案内する案内手段を具備したことを特徴とする巻きおしぼり製造装置。
【請求項２】
請求項１に記載の発明において、シートカッタの入口に設けられる案内手段はシートカッタにおける固定刃の手前側に配置された案内部材よりなり、前記案内部材は対向壁との間に形成されるシートカッタへの連続シートの通過経路を対向壁に向けて狭窄し、狭窄部においてシートを両側より実質的に挟着保持することを特徴とする巻きおしぼり製造装置。
【請求項３】
請求項２に記載の発明において、請求項２に記載の発明において、前記案内部材若しくはその対向壁若しくはその双方に相手側面に向け突出する突起部を有したことを特徴とする巻きおしぼり製造装置。
【請求項４】
請求項３に記載の発明において、請求項３に記載の発明において、案内部材と対向壁との間で突起部は互い違いに配置されたことを特徴とする巻きおしぼり製造装置。
【請求項５】
請求項１に記載の発明において、丸め機構の入口に設けられる案内手段は、丸め機構において移動ベルトにその実質的全幅にて当接するように設けられる入口ガイドローラの手前において入口ガイドローラの周面に近接する位置まで延出する案内部材より構成されたことを特徴とする巻きおしぼり製造装置。
【請求項６】
請求項５に記載の発明において、前記案内部材は前記入口ガイドローラの幅方向に間隔をおいて複数設けられたことを特徴とする巻きおしぼり製造装置。
【発明の詳細な説明】
【０００１】
【発明の属する技術分野】
この発明は巻きおしぼり製造装置に関し、詳しくは、シートカッタ若しくは丸め機構の入口部位での連続シートのジャミング対策を施した巻きおしぼり製造装置に関するものである。
【０００２】
【従来の技術】
巻きおしぼり製造装置においては、ロールから連続シート（紙若しくは不織布）が繰り出され、ロールから繰り出された連続シートはシートカッタにて所定長さのシート片に切断され、シート片は丸め装置における入口ガイドローラを経て移動ベルトに捕捉され、移動ベルトと移動ベルトと対向した固定ベルトとの間の丸め通路を通過することによりロール巻きされる（特許文献１参照）。
【０００３】
【特許文献１】実公平５−３３３２１号公報
【発明が解決しようとする課題】
ロールからの連続シートはその先端よりシートカッタに導入され、所定長さ分連続シートが送られたときシートカッタにより切断される。シートカッタは固定刃と回転刃とから構成され、連続シートの先端を固定刃に沿って移動させつつ回転してきた回転刃を固定刃と協働させることによりシート片に切断する。ところが、従来技術では連続シートの先端が巻き癖によってカールしている場合、連続シートの先端が固定刃の先端に当たってしまうことがあり、この場合に連続シートは固定刃に沿ってスムースに進むことができず、回転刃側に折れ込んでしまうためジャミングとなっていた。このような巻き癖はこの出願の先願である特願２００２−４４２５５号に開示した長手方向の折線で上下層を折り重ねた連続シートにエンボスをかけ巻き取ったシートの場合は特に強く、ジャミングが問題となっていた。
【０００４】
仮に、ジャミングすることなくシート片への切断が行われたとしても依然としてシート片の先端はカール傾向を持っており、丸め機構に入るときに入口ガイドローラと移動ベルトとの間へのスムースに導入され難いという問題もあった。即ち、シート片の先端がカールしていると、丸め機構における入口ガイドローラと移動ベルトとの間にシート片の先端が捕捉されずに、シート片の先端は移動ロールから離間した入口ガイドローラの側に曲がり込んでしまい隙間に入り込んでしまうため、これもジャミングの原因となっていた。
【０００５】
この発明は以上の問題点に鑑みなされたものであり、シートカッタ若しくは丸め機構への連続シートの先端の導入を円滑に行い、ジャミングを確実に防止しうるようにすることを目的とする。
【０００６】
【発明が解決しようとする課題】
請求項１に記載の発明によれば、ロールからの連続シートをシートカッタにより所定長さのシート片にカットし、シート片を丸め機構により巻きおしぼりとする巻きおしぼり製造装置において、シートカッタの入口部若しくは丸め機構の入口部又はその双方にシートの先端のカールにかかわらずシートの先端をシートカッタの入口部若しくは丸め機構の入口部に案内する案内手段を具備したことを特徴とする巻きおしぼり製造装置が提供される。
【０００７】
請求項１の発明の作用・効果を説明すると、シートカッタの入口部若しくは丸め機構の入口部に案内手段を設けることにより連続シートの先端のカールに係わらずシートの先端をシートカッタの入口部若しくは丸め機構の入口部に案内することができ、ジャミングを防止することができる。
【０００８】
請求項２に記載の発明によれば、請求項１に記載の発明において、シートカッタの入口に設けられる案内手段はシートカッタにおける固定刃の手前側に配置された案内部材よりなり、前記案内部材は対向壁との間に形成されるシートカッタへの連続シートの通過経路を対向壁に向けて狭窄し、狭窄部においてシートを両側より実質的に挟着保持することを特徴とする巻きおしぼり製造装置が提供される。
【０００９】
請求項２の発明の作用・効果を説明すると、案内部材はシートカッタの入口通路を対向壁に向けて狭窄し、入口通路において連続シート先端は両側において実質的に挟着（両側から接触保持）されつつシートカッタに送られる。そのため、シート先端のカールが抑制され、シート先端が固定刃に突き当たるようなことがなく、シートカッタの入口部を円滑に通過させることができ、ジャミングとなるのを防止することができる。
【００１０】
請求項３に記載の発明によれば、請求項２に記載の発明において、前記案内部材若しくはその対向壁若しくはその双方に相手側面に向け突出する突起部を有したことを特徴とする巻きおしぼり製造装置が提供される。
【００１１】
請求項３の発明の作用・効果を説明すると、相手側面に向けて突出する突起部を設けることにより連続シートとの接触面積を押さえつつ、シート先端のカール傾向を抑制することができ、連続シートの円滑な案内に寄与させることができる。
【００１２】
請求項４に記載の発明によれば、請求項３に記載の発明において、案内部材と対向壁との間で突起部は互い違いに配置されたことを特徴とする巻きおしぼり製造装置が提供される。
【００１３】
請求項４の発明の作用・効果を説明すると、対抗面間での突起の相互食い込み構造によって連続シートの先端のカール抑制をより効率的に押さえることができ、連続シートの一層円滑な案内に寄与させることができる。
【００１４】
請求項５に記載の発明によれば、請求項１に記載の発明において、丸め機構の入口に設けられる案内手段は、丸め機構において移動ベルトにその実質的全幅にて当接するように設けられる入口ガイドローラの手前において入口ガイドローラの周面に近接する位置まで延出する案内部材より構成されたことを特徴とする巻きおしぼり製造装置が提供される。
【００１５】
請求項５の発明の作用・効果を説明すると、丸め機構の入口おいて入口ガイドローラの手前において入口ガイドローラの周面に近接する位置まで延出する案内部材を設けることにより、シート先端のカール傾向に係わらず、シート先端を入口ガイドローラにおける移動ベルト離間側の隙間からブロックし、入口ガイドローラと移動ベルト間に導くことができ、ジャミングを防止し、丸め機構における円滑な丸め動作に寄与させることができる。
【００１６】
請求項６に記載の発明によれば、請求項５に記載の発明において、前記案内部材は前記入口ガイドローラの幅方向に間隔をおいて複数設けられることを特徴とする巻きおしぼり製造装置が提供される。
【００１７】
請求項６の発明の作用・効果を説明すると、案内部材を幅方向に間隔をおいて複数設けることによりシートの幅方向の全体に亘り、シート先端の円滑な案内を行いつつ案内部材の計量化を実現することができる。
【００１８】
【発明の実施の形態】
図１はこの発明が応用される巻きおしぼり製造装置の全体概略構成図であり、１０は紙若しくは不織布の連続シートを巻回したロールであり、ロール１０からの連続シート１２は送りローラ１４により引き出され、押さえ板１５とシートカッタ１６によって所定長のシート片１２´に切断され、シート片１２´は丸め機構１８に導入される。丸め機構１８は一対の回転ローラ２０，  ２２と、偏倚ローラ２４、ローラ２０，  ２２，  ２４間を循環する、ゴムなどの可撓性素材より成る無端の移動ベルト２６と、同じくゴムなどの可撓性素材より成る固定ベルト２８とから構成される。この実施形態では固定ベルト２８は両端が図１には示されない枠体に固定され、中間はフリーである。そして、固定ベルト２８はローラ２２を巡る移動ベルト２６の部分に対向配置されており、その結果、移動ベルト２６と固定ベルト２８の間に丸め通路３０が形成される。丸め通路３０は入口３０−１と出口３０−２とを備えており、入口３０−１には入口ガイドローラ３２が設けられ、シート片１２´の先端は入口ガイドローラ３２と移動ベルト２６との間に捉えられ、入口３０−１より丸め通路３０に導入され、移動ベルト２６と固定ベルト２８との間を通過する間にロール巻きされ、出口３０−２より巻きおしぼりＲとなって排出される。
【００１９】
図２は送りローラ１４から丸め機構１８の入口部分までの詳細図であり、送りローラ１４は軸体３４に間隔をおいてディスク体３６を複数（図示の例では４枚（図３も参照））固定し、ディスク体３６の外周の溝にゴムリング３８を固定して構成される。押さえ板１５はピン４０の周りで回転可能に設けられ、押さえ板１５は自由端側に制動部１５−１を有している。押さえ板１５の制動部１５−１は常態では送りローラ１４のゴムリング３８から幾分離間しており、ゴムリング３８にその下面にて係合する連続シート１２が送りローラ１４の回転により引き出される動作に支障はない。しかしながら、シートカッタ１６による連続シート１２の切断時は押さえ板１５はピン４０を支点として図２の反時計方向（矢印ｂ方向）に回動せしめられ、制動部１５−１により連続シート１２はゴムリング３８の外周に押し付けられ、連続シート１２の送りは一瞬停止せしめられ、シートカッタ１６による連続シート１２のシート片１２´への切断を行うことができる。
【００２０】
シートカッタ１６は固定刃（受け刃）４２と回転刃４４とからなり、固定刃４２はピン４６の周りに回動可能に設けられ、図示しないスプリングにより図の時計方向に回動付勢され、また固定刃４２が図示の位置以上には回動しないように保持するストッパ（図示しない）を備える。他方、回転刃４４は矢印ａのように回転する回転軸４８上に半径方向に延設される。回転刃４４は図２の紙面に直交方向に延びる切断縁を備え、矢印ａ方向の回転において回転刃４４の切断縁が固定刃４２と協働することにより連続シート１２はシート片１２´に切断される。
【００２１】
丸め機構１８の入口部において固定ベルト支持板５０は図２の紙面に直交する方向（シートの幅方向）に延びており、図示しない機枠側に固定される。ゴム製の固定ベルト２８の入口端は固定板５２及びビス５４によって固定ベルト支持板５０に固定される。固定ベルト支持板５０の下面には弾性材製のシート片規制板５６がボルト５８により片持取付けされ、このシート片規制板５６は回転ローラ２０からの移動ベルト２６の上面に向けて傾斜しており、入口ガイドローラ３２から移動ベルト２６上を送られてくるシート片の先端に係合することによりシート片の先端を折り曲げ、この折り曲げられたシート片の先端部分が核となってシート片のロール巻が行なわれる。
【００２２】
連続シート１２はロール１０に巻回されており、巻癖がついていることがある。そのため、ロールから引き出したときに連続シート１２の先端はカールする。このようにカールした連続シート１２の先端１２Ａにて示す。送りローラ１４と押さえ板１５との間の隙間から連続シート１２はシートカッタ１６に送り出されるが、従来はこの隙間が広かった。そのため、連続シート１２のカールした先端１２Ａは固定刃４２を指向し易く、そのため、連続シート１２の先端１２Ａは固定刃４２の先端に当たり、回転刃側に屈曲が進み、ジャミングが起こることが多かった。
【００２３】
また、ジャミングを起こすことなく連続シート１２の先端１２Ａがシートカッタ１６を通過した場合にあっても、丸め装置１８に入る際に、連続シート１２の先端１２Ａがカールしているため、移動ベルト２６から離間した入口ガイドローラ３２の側に連続シート１２の先端１２Ａが指向され勝ちとなり、連続シート１２を移動ベルト２６に捕捉させることに失敗し、ジャミングとなっていた。
【００２４】
この発明においては連続シート１２の先端１２Ａのカール傾向に関わらずシートカッタ１６の入口及び丸め機構１８の入口部への連続シート１２の円滑な導入を行いうるような案内手段をシートカッタ１６及び丸め機構１８の入口に備えている。まず、シートカッタ１６の入口における案内手段について説明すると、この案内手段は案内部材６８により構成され、この案内部材６８は図２の紙面に直交する方向に延び、シートの幅に応じた幅を有しており、送りローラ１４の出口付近に設けられており、かつ案内部材６８の対向壁である押さえ板１５の内壁に向けて出口側ほど接近するように近接配置され、案内部材６８と押さえ板１５との間における連続シートの移送経路７０を固定刃４２から離間する方向に狭窄している。そして、図３に示すように案内部材６８と押さえ板１５との対向面には突起７２，  ７４が間隔をおいて形成され、突起７２，  ７４とは互い違いにかつ相互に多少食い込み合うように配置されている。そのため、連続シート１２がこの通路７０を通過する際において、連続シート１２はこれらの突起７２，  ７４によって完全に規制され両側より連続シートを挟着することによりカール傾向を抑制しながら進む。そのため、連続シート１２の先端１２Ａのカールに関わらず、図２に示すように連続シート１２の先端１２Ａは固定刃４２の先端と干渉することなく円滑に進むことができ、この部位での連続シートの詰まり（ジャミング）の発生を防止することができる。
【００２５】
図４（イ）及び（ロ）は本発明における案内部材６８に順ずる案内部材１６８を有してはいるが、押さえ板１１５との間の移送通路１７０が広い場合を示しており、この場合は連続シート１２の先端のカール１２Ａは（イ）に示すように案内部材１６８による位置規制が不十分であり、シート１２の先端の、固定刃１４２端面に対する係合が起こりやすく、一端シート１２の先端が固定刃１４２の端面に係合すると、以降は（ロ）に示すように連続シートは回転刃１４４の側に曲がり込んでしまい、ジャミングとなっていたが、本発明に従い、図２のように、案内部材６８を押さえ板１５に接近させることにより連続シートの移送通路７０を絞り、案内部材６８を押さえ板１５との対抗面間で図３に示すように挟着保持するこの発明の構成によりシート先端のカール傾向を矯正し、連続シートをシートカッタにおける固定刃４２と回転刃４４との間をスムースに通過せしめることができ、ジャミング発生を抑制することができる。
【００２６】
また、この発明によれば、丸め装置１８の入口部に案内部材７６が紙面幅方向に間隔をおいて設置される。即ち、図５において、案内部材７６は固定ベルト支持板５０の入口延長部５０´に固定され、案内部材７６の下端７６´は移動ベルト２６の上面を指向しつつ入口ガイドローラ３２の手前上方位置まで延びている。そして、図６に示すように案内部材７６は入口ガイドローラ３２の全幅にわたり間隔をおいて複数設けられる。そのため、シートカッタ１６を通過後の連続シート１２の先端１２Ａがカールしていても案内部材７６によって全幅で規制を受け、連続シート１２の先端１２Ａが入口ガイドローラ３２と固定ベルト支持板５０との隙間７８（図６参照）に入り込みジャミングを起こすことは回避され、入口ガイドローラ３２に係合され、ついで、図７に示すように入口ガイドローラ３２と移動ベルト２６との間に捕捉され、以降の移動ベルト２６と固定ベルト２８との間の丸め動作にスムースに移行させることができる。
【００２７】
図８はこの発明における案内部材７６を有さない場合を示し、この場合は、連続シート１２の先端のカール部分１２Ａを規制することができないため、シート１２の先端は移動ベルト２６から離間した入口ガイドローラ３２の側の隙間Ｓに入り込み、ジャミングの原因となっていた。図５及び図７に示すようにこの発明により入口ローラ３２の入口側に向けて延びるように案内部材７６を設けることにより、シート１２をその先端先端１２Ａのカールに係わらずを入口ローラ３２と移動ベルト２６との間に導き、移動ベルト２６と固定ベルト２８との間の丸め通路３０に導入することによる丸め機構１８における丸め動作に円滑移行させることができる。
【図面の簡単な説明】
【図１】図１はこの発明が応用される巻きおしぼり製造装置の全体概略構成図である。
【図２】図２はシートカッタへの入口部分から丸め機構の入口部分にかけての巻きおしぼり製造装置の詳細構成図であり、シート先端がシートカッタの入口部に導入時の状態を示す。
【図３】図３は図２におけるＩＩＩ方向矢視図である。
【図４】図４（イ）及び（ロ）はシートカッタへの入口におけるシート先端なの挟着案内を行わない場合におけるジャミングの生成過程を示す図である。
【図５】図５は図２と同様であるが、連続シート先端が丸め機構の入口まで到達した状態を示す。
【図６】図６は図５におけるＶＩ方向矢視図である。
【図７】図７は図５の部分詳細図であり、丸め機構の入口案内ローラによるシート先端が移動ベルトとの間に正規に捕捉された状態を示す。
【図８】図８はこの発明の案内部材を有さない丸め機構の場合におけるシート先端の状態を示す図である。
【符号の説明】
１０…ロール
１２…連続シート
１２´…シート片
１４…送りローラ
１５…押さえ板
１６…シートカッタ
１８…丸め機構
２０，  ２２…回転ローラ
２４…偏倚ローラ
２６…移動ベルト
２８…固定ベルト
３０…丸め通路
３２…入口ガイドローラ
４２…固定刃
４４…回転刃
６８…案内部材
７０…連続シートの移送経路
７２，  ７４…突起
７６…案内部材
【図１】
2004173781.tif 000003
【図２】
2004173781.tif 000004
【図３】
2004173781.tif 000005
【図４】
2004173781.tif 000006
【図５】
2004173781.tif 000007
【図６】
2004173781.tif 000008
【図７】
2004173781.tif 000009
【図８】
2004173781.tif 000010